(57)【要約】  複数のプレイリストのうちのいずれか１のプレイリストを現コンテンツとして選択する選択手段と、選択手段によって選択された現プレイリストに示されたコンテンツを再生する再生する再生手段と、再生手段の再生状態が再生切替条件を満たすか否かを判別する判別手段と、を備え、選択手段は、判別手段により現プレイリストに示された再生切替条件を満たすと判別されたとき複数のプレイリストのうちから１のプレイリストを現プレイリストとして新たに選択し、その新たに選択した現プレイリストに示されたコンテンツを再生手段に再生させるコンテンツ再生装置。
2010109604.tif 000002
【特許請求の範囲】
【請求項１】
各々が少なくとも１つのコンテンツを示す複数のプレイリストを記憶部に記憶したコンテンツ再生装置であって、
前記複数のプレイリストのうちのいずれか１のプレイリストを現コンテンツとして選択する選択手段と、
前記選択手段によって選択された前記現プレイリストに示されたコンテンツを再生する再生する再生手段と、
前記再生手段の再生状態が再生切替条件を満たすか否かを判別する第１判別手段と、を備え、
前記選択手段は、前記第１判別手段により前記現プレイリストに示された再生切替条件を満たすと判別されたとき前記複数のプレイリストのうちから１のプレイリストを前記現プレイリストとして新たに選択し、その新たに選択した前記現プレイリストに示されたコンテンツを前記再生手段に再生させることを特徴とするコンテンツ再生装置。
【請求項２】
前記複数のプレイリスト各々は前記再生切替条件の他にプレイリスト開始条件を示し、
前記選択手段は、前記第１判別手段により前記現プレイリストに示された再生切替条件を満たすと判別されたとき前記現プレイリスト以外の前記複数のプレイリストのうちの前記プレイリスト開始条件を満たす１のプレイリストを前記現プレイリストとして新たに選択することを特徴とすることを特徴とする請求項１記載のコンテンツ再生装置。
【請求項３】
前記選択手段は、操作に応じて前記複数のプレイリストのうちから切替先のプレイリストを設定する手段と、
前記第１判別手段により前記現プレイリストに示された再生切替条件を満たすと判別されたとき前記切替先のプレイリストが前記プレイリスト開始条件を満たすか否かを判別する第２判別手段と、を有し、
前記第２判別手段により前記切替先のプレイリストが前記プレイリスト開始条件を満たすと判別されたとき前記切替先のプレイリストを前記現プレイリストとして新たに選択することを特徴とすることを特徴とする請求項２記載のコンテンツ再生装置。
【請求項４】
前記複数のプレイリスト各々は前記再生切替条件の他にプレイリスト開始条件と切替先のプレイリストとを示し、
前記第１判別手段により前記現プレイリストに示された再生切替条件を満たすと判別されたとき前記切替先のプレイリストが前記プレイリスト開始条件を満たすか否かを判別する第２判別手段と、を有し、
前記第２判別手段により前記切替先のプレイリストが前記プレイリスト開始条件を満たすと判別されたとき前記切替先のプレイリストを前記現プレイリストとして新たに選択することを特徴とすることを特徴とする請求項２記載のコンテンツ再生装置。
【請求項５】
前記選択手段は、操作に応じて前記複数のプレイリストのうちから複数の切替先のプレイリストを設定する手段を備え、
前記第１判別手段により前記現プレイリストに示された再生切替条件を満たすと判別されたとき前記複数の切替先のプレイリストのうちから前記プレイリスト開始条件を満たす１つの切替先のプレイリストを前記現プレイリストとして新たに選択することを特徴とすることを特徴とする請求項２記載のコンテンツ再生装置。
【請求項６】
前記プレイリスト開始条件は前記再生装置の再生環境を特定する割込条件と、前記プレイリストの切替時間帯を示す時間条件との少なくとも１を含むことを特徴とする請求項２〜５のいずれか１記載のコンテンツ再生装置。
【請求項７】
前記複数のプレイリスト各々は前記再生切替条件として切替先ポイント及び消費ポイントを示し、前記切替先ポイントは切替前の前記現プレイリストから切替後の前記現プレイリストによるコンテンツ再生動作に与えられるポイントであり、前記消費ポイントは１コンテンツ再生当たりに消費されるポイントであり、
前記第１判別手段は、切替後の前記現プレイリストに示されたコンテンツの１コンテンツ再生毎に切替前の前記現プレイリストに示された前記切替先ポイントから切替後の前記現プレイリストに示された前記消費ポイントを差し引き、その結果が０以下になったとき前記再生手段の再生状態が再生切替条件を満たしたと判別することを特徴とする請求項１記載のコンテンツ再生装置。
【請求項８】
前記プレイリストは、コンテンツの再生制御方法を示すことを特徴とする請求項１記載のコンテンツ再生装置。
【請求項９】
前記プレイリストは、コンテンツとして放送番組を示すことを特徴とする請求項１記載のコンテンツ再生装置。
【請求項１０】
各々が少なくとも１つのコンテンツを示す複数のプレイリストを記憶部に記憶したコンテンツ再生装置の制御方法であって、
前記複数のプレイリストのうちのいずれか１のプレイリストを現コンテンツとして選択する選択ステップと、
前記選択ステップによって選択された前記現プレイリストに示されたコンテンツを再生する再生する再生ステップと、
前記再生ステップの再生状態が再生切替条件を満たすか否かを判別する判別ステップと、を備え、
前記選択ステップは、前記判別ステップにより前記現プレイリストに示された再生切替条件を満たすと判別されたとき前記複数のプレイリストのうちから１のプレイリストを前記現プレイリストとして新たに選択し、その新たに選択した前記現プレイリストに示されたコンテンツを前記再生手段に再生させることを特徴とする制御方法。
【発明の詳細な説明】
【技術分野】
【０００１】
本発明は、複数のコンテンツをプレイリストに示された再生順序に従って自動再生するコンテンツ再生装置及びその制御方法に関する。
【背景技術】
【０００２】
記録装置に記録された音楽データ等の複数のコンテンツをプレイリストに示された再生順序に従って自動再生するコンテンツ再生装置が知られている（特許文献１参照）。かかるコンテンツ再生装置においては、複数のプレイリストが用意され、複数のプレイリスト各々には複数のコンテンツの再生順序の他に、再生時刻や再生装置の利用形態等の再生条件が示されている。例えば、ユーザの操作によって入力された再生条件と合致した再生条件を示したプレイリストが複数のプレイリストから選択され、選択されたプレイリストに示された再生順序に従ってコンテンツが記録装置から順次選出され、選出されたコンテンツの再生が行われる。
【特許文献１】特開２００４−５８３２号公報
【発明の開示】
【発明が解決しようとする課題】
【０００３】
しかしながら、従来のプレイリストを用いたコンテンツ再生装置においては、ユーザが１つのプレイリストによるコンテンツ再生中に他の再生条件のプレイリストによるコンテンツ再生に切り替えたい場合にはプレイリストを選択し直す必要があった。例えば、従来の車載コンテンツ再生装置においては、プレイリストを用いて車両の走行中に音楽再生を行い、車両の信号待ち停止等の停止状態ではその音楽再生を中断して英語学習のコンテンツ再生を自動的に行うような切替再生はできなかった。【０００４】
そこで、本発明が解決しようとする課題には、上記の欠点が一例として挙げられ、プレイリストによるコンテンツ再生から他のプレイリストによるコンテンツ再生へ自動切り替えを可能にしたコンテンツ再生装置及びその制御方法を提供することを本発明の目的とする。
【課題を解決するための手段】
【０００５】
請求項１に係る本発明のコンテンツ再生装置は、各々が少なくとも１つのコンテンツを示す複数のプレイリストを記憶部に記憶したコンテンツ再生装置であって、前記複数のプレイリストのうちのいずれか１のプレイリストを現コンテンツとして選択する選択手段と、前記選択手段によって選択された前記現プレイリストに示されたコンテンツを再生する再生する再生手段と、前記再生手段の再生状態が再生切替条件を満たすか否かを判別する第１判別手段と、を備え、前記選択手段は、前記第１判別手段により前記現プレイリストに示された再生切替条件を満たすと判別されたとき前記複数のプレイリストのうちから１のプレイリストを前記現プレイリストとして新たに選択し、その新たに選択した前記現プレイリストに示されたコンテンツを前記再生手段に再生させることを特徴としている。【０００６】
請求項１０に係る本発明のコンテンツ再生装置の制御方法は、各々が少なくとも１つのコンテンツを示す複数のプレイリストを記憶部に記憶したコンテンツ再生装置の制御方法であって、前記複数のプレイリストのうちのいずれか１のプレイリストを現コンテンツとして選択する選択ステップと、前記選択ステップによって選択された前記現プレイリストに示されたコンテンツを再生する再生する再生ステップと、前記再生ステップの再生状態が再生切替条件を満たすか否かを判別する判別ステップと、を備え、前記選択ステップは、前記判別ステップにより前記現プレイリストに示された再生切替条件を満たすと判別されたとき前記複数のプレイリストのうちから１のプレイリストを前記現プレイリストとして新たに選択し、その新たに選択した前記現プレイリストに示されたコンテンツを前記再生手段に再生させることを特徴としている。
【発明を実施するための形態】
【０００７】
請求項１に係る本発明のコンテンツ再生装置及び請求項１０に係る本発明の制御方法においては、現プレイリストによるコンテンツ再生中にその再生状態が再生切替条件を満たすと、複数のプレイリストのうちのいずれか１のプレイリストが新たな現プレイリストとなり、その新たな現プレイリストによるコンテンツ再生に移行することができる。複数のプレイリスト毎に再生切替条件を定めることにより、再生状態に応じてプレイリストを切り替えてプレイリストによるコンテンツ再生を行うことができる。
【図面の簡単な説明】
【０００８】
【図１】本発明が適用されたコンテンツ再生装置を示すブロック図である。
【図２】図１の装置中のコンテンツＤＢ部のデータ構成を示す図である。
【図３】図１の装置中のプレイリストＤＢ部のデータ構成を示す図である。
【図４】プレイリスト作成動作を示すフローチャートである。
【図５】プレイリスト再生動作を示すフローチャートである。
【図６】他のプレイリスト再生動作を示すフローチャートである。
【図７】他のプレイリスト再生動作を示すフローチャートである。
【図８】他のプレイリスト再生動作の一部を示すフローチャートである。
【図９】プレイリストＤＢ部の他のデータ構成を示す図である。
【図１０】他のプレイリスト再生動作を示すフローチャートである。
【図１１】プレイリストＤＢ部の他のデータ構成を示す図である。
【図１２】プレイリストＤＢ部の他のデータ構成を示す図である。
【実施例】
【０００９】
以下、本発明の実施例を図面を参照しつつ詳細に説明する。【００１０】
図１は本発明の実施例として車載用コンテンツ再生装置を示している。このコンテンツ再生装置は、複数のセンサ１、再生環境取得部２、データ記録部３、コンテンツ選択部４、コンテンツ再生部５、プレイリスト提示部６、ユーザ入力受取部７、プレイリスト作成部８、再生履歴管理部９、再生履歴ＤＢ（データベース）部１０、操作部１１、表示部１２及びスピーカ１３を備えている。【００１１】
複数のセンサ１は、車両の速度、車両のブレーキ状態、現在位置、標準時間等のパラメータを検出する。また、センサ１としてはナビゲーション装置が含まれる。再生環境取得部２は複数のセンサ１の検出出力に応じて車両の走行状態、車両の停止状態、車両の現在位置、日時等の再生環境情報を取得する。【００１２】
データ記録部３はコンテンツＤＢ（データベース）部３ａとプレイリストＤＢ部３ｂとからなる。コンテンツＤＢ部３ａには図２に示すように、複数のコンテンツ本体と共にコンテンツについてのコンテンツ情報がコンテンツテーブルとして記憶される。コンテンツテーブルにはコンテンツ毎にコンテンツＩＤ、タイトル名、ファイル名、記録条件、及びその他の条件等のコンテンツ情報が含まれる。また、コンテンツ本体としてはファイル名が付けられた楽曲、ラジオ放送、英語教材等の音声データが含まれている。【００１３】
プレイリストＤＢ部３ｂには図３に示すように、複数のプレイリストのデータがプレイリストテーブルとして記憶される。プレイリストテーブルにはプレイリスト毎にプレイリストＩＤ、時間条件、割込条件、再生順序、再生切替条件及び収録コンテンツＩＤが含まれている。時間条件及び割込条件は、プレイリスト開始条件である。【００１４】
コンテンツ選択部４は、プレイリスト情報、再生環境情報、及び再生履歴情報に応じて再生すべきコンテンツである音声データを選択する。【００１５】
コンテンツ再生部５は、コンテンツ選択部４によって選択されたコンテンツの音声データをコンテンツＤＢ部３ａから読み出し、それに対してデータ復号及びディジタル／アナログ変換等の再生処理を施して音声信号を得て、その音声信号をスピーカ１３に出力する。【００１６】
プレイリスト提示部６は、プレイリストＤＢ部３ｂに記憶されているプレイリストを読み出してその内容を表示部１２に表示させる。【００１７】
ユーザ入力受取部７は、操作部１１からのユーザ入力操作を受け入れ、その入力操作に応じた情報を出力する。【００１８】
プレイリスト作成部８は、後述のプレイリスト作成動作によりユーザ入力受取部７で受け入れられたユーザ入力操作に応じてプレイリストを作成してそれをプレイリストＤＢ部３ｂに記憶させる。【００１９】
再生履歴管理部９は、コンテンツ再生部５で再生されたコンテンツについての再生履歴情報を再生履歴データベース部１０に記憶させる。また、再生履歴データベース部１０に記憶されている再生履歴情報を読み出してコンテンツ選択部４に供給する。【００２０】
かかる構成の車載用楽曲再生装置において、プレイリスト作成動作及びプレイリスト再生動作について説明する。【００２１】
プレイリスト作成動作は、ユーザが操作部１１の操作によりプレイリスト作成を指令した場合にプレイリスト作成部８によって実行される。プレイリスト作成動作において、プレイリスト作成部８は図４に示すように、先ず、プレイリストＩＤを設定する（ステップＳ１）。プレイリストＩＤはプレイリストＤＢ部３ｂに作成順に番号として記録されており、ステップＳ１ではプレイリストＤＢ部３ｂに最後に記録された番号の次の番号がプレイリストＩＤとして設定される。【００２２】
ステップＳ１の実行後、設定したプレイリストＩＤに対するコンテンツの指定をユーザ入力受取部７を介して受け入れる（ステップＳ２）。例えば、データ記録部３からコンテンツＩＤ毎のタイトル名が読み出され、そのタイトル名が表示部１２に表示される。ユーザの操作部１１の操作によりその表示されたタイトル名の中から少なくとも１のタイトル名が選択されると、その選択タイトル名がユーザ入力受取部７を介して受け入れられ、選択タイトル名に対応するコンテンツＩＤがプレイリスト作成部８にて設定される。ここでは複数のコンテンツを指定することができる。【００２３】
ステップＳ２の実行後、設定したプレイリストＩＤに対する再生順序を設定する（ステップＳ３）。再生順序は、コンテンツＩＤの番号に従った順番通り、ランダム、正解率が低い順、指定なしを含む。ステップＳ３では、例えば、予め定められた複数の再生順序方法が表示部１２に表示される。ユーザの操作部１１の操作によりその表示された複数の再生順序方法の中からいずれか１が選択されると、その選択再生順序がユーザ入力受取部７を介してプレイリスト作成部８で得られ、それにより再生順序が設定される。【００２４】
ステップＳ３の実行後、設定したプレイリストＩＤに対する再生切替条件を設定する（ステップＳ４）。再生切替条件はプレイリストを切り替える際に現在のプレイリストによるコンテンツ再生を停止するための許可条件である。再生切替条件としては例えば、１コンテンツ以上の再生後、指定なし、切替後復帰等がある。１コンテンツとは楽曲ならば、１曲に相当し、英語学習ならば１レッスンに相当する。ステップＳ４では、例えば、予め定められた複数の再生切替条件が表示部１２に表示される。ユーザの操作部１１の操作によりその表示された複数の再生切替条件の中からいずれか１が選択されると、その選択再生切替条件がユーザ入力受取部７を介してプレイリスト作成部８で得られる。再生切替条件が得られることにより再生切替条件が設定される。【００２５】
ステップＳ４の実行後、設定したプレイリストＩＤに対する割込条件を設定する（ステップＳ５）。割込条件は再生切替条件を満足した後、切替後のプレイリストによるコンテンツ再生を開始するための許可条件である。割込条件としては例えば、車両の停車、高速道路走行、指定なしがある。ステップＳ５では、例えば、予め定められた複数の割込条件が表示部１２に表示される。ユーザの操作部１１の操作によりその表示された複数の割込条件の中からいずれか１が選択されると、その選択割込条件がユーザ入力受取部７を介してプレイリスト作成部８で得られる。割込条件が得られることにより割込条件が設定される。【００２６】
ステップＳ５の実行後、設定したプレイリストＩＤに対する時間条件を設定する（ステップＳ６）。時間条件は切替後のプレイリストによるコンテンツ再生の開始可能な時間である。ステップＳ６ではユーザによって操作部１１から時間（又は指定なし）が指定されるので、その時間がユーザ入力受取部７を介してプレイリスト作成部８で得られる。時間条件が得られることにより時間条件が設定される。【００２７】
ステップＳ６の実行後、ステップＳ１〜Ｓ６で設定したプレイリストＩＤ、コンテンツＩＤ、再生順序、再生切替条件、割込条件及び時間条件を１つのプレイリストとしてプレイリストＤＢ部３ｂに書き込む（ステップＳ７）。ステップＳ７の実行により、プレイリストＤＢ部３ｂに１つのプレイリストが追加されることになる。【００２８】
次に、プレイリスト再生動作はユーザが操作部１１の操作によりプレイリスト再生を指令した場合にコンテンツ選択部４により実行される。プレイリスト再生動作においてコンテンツ選択部４は図５に示すように、先ず、メインリスト及びサブリストをプレイリストＤＢ部３ｂに記憶されたプレイリストからユーザの入力操作に応じて選択して設定する（ステップＳ１１）。このときプレイリスト提示部６によってプレイリストＤＢ部３ｂからプレイリストの内容（プレイリストＩＤ、各条件及びコンテンツ）が読み出され、それが表示部１２に表示される。その表示されたプレイリストの中からメインリスト及びサブリスト各々をユーザに選択させることにより、コンテンツ選択部４はその選択タイトル名をユーザ入力受取部７を介して受け入れ、選択タイトル名に対応するコンテンツＩＤを得る。【００２９】
メインリスト及びサブリストの設定後、メインリストの再生順序で定まる再生位置及びサブリストの再生順序で定まる再生位置を保持する（ステップＳ１２）。ここでのメインリストの再生位置は、メインリストの再生順序の最初のコンテンツＩＤの音声データの開始位置である。また、サブリストの再生位置は、サブリストの再生順序の最初のコンテンツＩＤの音声データの開始位置である。コンテンツ選択部４はステップＳ１２の実行後、メインリストの再生位置からのコンテンツ再生をコンテンツ再生部５に指令する（ステップＳ１３）。再生コンテンツ再生部５はそのメインリスト再生指令に応じてメインリストの再生位置に関するコンテンツＩＤの音声データをコンテンツＤＢ部３ａから読み出し、それを再生位置から再生して音声信号をスピーカ１３に出力することを開始する。このプレイリスト再生動作においては、先ず、メインリストが現プレイリストとなる。【００３０】
コンテンツ選択部４は、ステップＳ１２のメインリスト再生指令後、メインリストの再生切換条件を取得し（ステップＳ１４）、その再生切換条件に応じて再生継続であるか否かを判別する（ステップＳ１５）。ステップＳ１５の判別では再生切換条件に時間条件を加えても良い。【００３１】
再生切換条件を満たさない場合には再生継続であるので、再生指令によるコンテンツＩＤにて指定された１コンテンツ再生が終了したか否かを判別する（ステップＳ１６）。これはコンテンツ再生部５の再生状態に応じて判別される。１コンテンツ再生が終了したならば、メインリストの再生順序で定まる次のコンテンツＩＤで指定されるコンテンツの再生をコンテンツ再生部５に指令する（ステップＳ１７）。ステップＳ１３のメインリスト再生指令の場合と同様に、コンテンツ再生部５はそのメインリスト再生指令に応じてコンテンツＩＤにて指定されたコンテンツの音声データをコンテンツＤＢ部３ａから読み出し、それを再生して音声信号をスピーカ１３に出力することを開始する。なお、ステップＳ１７でメインリストに次のコンテンツＩＤがない場合、すなわちメインリストに示された全てのコンテンツＩＤについての再生指令を発した場合には保存されているサブリストの再生位置からのコンテンツ再生に移行しても良い。【００３２】
ステップＳ１５においてメインリストの再生切換条件を満たす場合には、サブリストの割込条件を取得し（ステップＳ１８）、その割込条件を満たすか否かを判別する（ステップＳ１９）。ステップＳ１９の判別では割込条件に時間条件を加えても良い。割込条件を満たさない場合には、ステップＳ１４に移行して上記の動作を繰り返す。【００３３】
割込条件を満たす場合には、コンテンツ選択部４は、メインリストによるコンテンツ再生部５の現在の再生位置を取得して保存し（ステップＳ２０）、サブリストの再生位置からのコンテンツ再生をコンテンツ再生部５に指令する（ステップＳ２１）。再生コンテンツ再生部５はそのサブリスト再生指令に応じてサブリストの再生位置に関するコンテンツＩＤの音声データをコンテンツＤＢ部３ａから読み出し、それを再生位置から再生して音声信号をスピーカ１３に出力することを開始する。よって、メインリストによるコンテンツ再生が停止され、サブリストによるコンテンツ再生に移行したことになる。すなわち、サブリストが現プレイリストとなってコンテンツ再生が行われる。【００３４】
コンテンツ選択部４は、ステップＳ２１のサブリスト再生指令後、サブリストの再生切換条件を取得し（ステップＳ２２）、その再生切換条件に応じて再生継続であるか否かを判別する（ステップＳ２３）。再生切換条件を満たさない場合には再生継続であるので、サブリスト再生指令によるコンテンツＩＤにて指定されたコンテンツ再生が終了したか否かを判別する（ステップＳ２４）。これはコンテンツ再生部５の再生状態に応じて判別される。コンテンツ再生が終了したならば、サブリストの再生順序で定まる次のコンテンツＩＤの音声データの再生をコンテンツ再生部５に指令する（ステップＳ２５）。コンテンツ再生部５はそのステップＳ２５のサブリスト再生指令でコンテンツＩＤにて指定されたコンテンツの音声データをコンテンツＤＢ部３ａから読み出し、それを再生して音声信号をスピーカ１３に出力することを開始する。なお、ステップＳ２５でサブリストに次のコンテンツＩＤがない場合、すなわちサブリストに示された全てのコンテンツＩＤについての再生指令を発した場合には保存されているメインリストの再生位置からのコンテンツ再生に移行しても良い。【００３５】
ステップＳ２３においてサブリストの再生切換条件を満たす場合には、メインリストの割込条件を取得し（ステップＳ２６）、その割込条件を満たすか否かを判別する（ステップＳ２７）。メインリストの割込条件を満たさない場合には、ステップＳ２２に移行して上記の動作を繰り返す。【００３６】
割込条件を満たす場合には、サブリストによるコンテンツ再生部５の現在の再生位置を取得して保存し（ステップＳ２８）、メインリストの保存再生位置からのコンテンツ再生をコンテンツ再生部５に指令する（ステップＳ２９）。再生コンテンツ再生部５はそのメインリスト再生指令に応じてメインリストの再生位置に関するコンテンツＩＤの音声データをコンテンツＤＢ部３ａから読み出し、それを再生位置から再生して音声信号をスピーカ１３に出力することを開始する。よって、サブリストによるコンテンツ再生が停止され、メインリストによるコンテンツ再生に移行したことになる。コンテンツ選択部４は、ステップＳ２９のメインリスト再生指令後、ステップＳ１４に移行して上記の動作を繰り返す。【００３７】
なお、上記の動作中に操作部１１からのユーザ入力操作によりストップ指令がユーザ入力受け取り部７を介してコンテンツ選択部４に供給された場合には、コンテンツ選択部４はコンテンツ再生部５に動作中止を指令し、これによりコンテンツ再生部５は再生動作を中止する。【００３８】
かかるプレイリスト再生動作により、メインリストによるコンテンツ再生中にメインリストの再生切替条件が満たされ、かつサブリストの割込条件が満たされると、サブリストによるコンテンツ再生に移行することができる。例えば、車両走行中にはメインリストによる楽曲再生が行われ、車両が信号停止した場合にサブリストによる英語問題を自動再生させることができる。【００３９】
上記した実施例においては、単一のメインリストに対して単一のサブリストを用いた場合であるが、単一のメインリストに対して複数のサブリストを用いても良い。複数のサブリストを用いる場合には、プレイリスト再生動作においてコンテンツ選択部４は、図６に示すように、先ず、メインリスト及び複数のサブリストをプレイリストＤＢ部３ｂに記憶されたプレイリストからユーザの入力操作に応じて選択して設定し（ステップＳ１１ａ）、その設定した複数のサブリストの切替順序を設定する（ステップＳ１１ｂ）。ステップＳ１１ａでは複数のサブリストを１つの集合として設定しても良い。ステップＳ１１ｂではサブリストの切替順序はユーザの操作部１１の操作に応じて複数のサブリストのうちから選択させることにより決定することができるが、ステップＳ１１ａにおいてユーザがサブリストを選択した順番をそのまま切替順序としても良い。なお、サブリストの数はｎ（ｎ≧２）とする。【００４０】
ステップＳ１１ｂの実行後、メインリストの再生順序で定まる再生位置及びサブリスト各々の再生順序で定まる再生位置を保持する（ステップＳ１２ａ）。ここで、サブリストの再生位置は、切替順序ｉ＝１〜ｎのサブリスト各々の再生位置である。ｉは初期値１の変数である。【００４１】
コンテンツ選択部４は、ステップＳ１５においてメインリストの再生切換条件を満たす場合には、切替順序ｉのサブリストの割込条件を取得し（ステップＳ１８ａ）、その割込条件を満たすか否かを判別する（ステップＳ１９ａ）。割込条件を満たさない場合には、サブリストの切替順序ｉがｎより大であるか否かを判別し（ステップＳ１９ｂ）、ｉ≦ｎならば、ｉ＝ｉ＋１とし（ステップＳ１９ｃ）、ｉ＞ｎならば、ｉ＝１とする（ステップＳ１９ｄ）。ステップＳ１９ｃ又は１９ｄの実行後、ステップＳ１４に移行する。【００４２】
ステップＳ１９ａにて割込条件を満たす場合には、コンテンツ選択部４は、メインリストによるコンテンツ再生部５の現在の再生位置を取得して保存し（ステップＳ２０）、切替順序ｉのサブリストの再生位置からのコンテンツ再生をコンテンツ再生部５に指令する（ステップＳ２１ａ）。コンテンツ選択部４は、ステップＳ２１ａのサブリスト再生指令後、切替順序ｉのサブリストの再生切換条件を取得し（ステップＳ２２ａ）、その再生切換条件に応じて再生継続であるか否かを判別する（ステップＳ２３ａ）。再生切換条件を満たさない場合には再生継続であるので、サブリスト再生指令によるコンテンツＩＤにて指定されたコンテンツ再生が終了したか否かを判別する（ステップＳ２４）。これはコンテンツ再生部５の再生状態に応じて判別される。コンテンツ再生が終了したならば、切替順序ｉのサブリストの再生順序で定まる次のコンテンツＩＤの音声データの再生をコンテンツ再生部５に指令する（ステップＳ２５ａ）。なお、ステップＳ２５ａで切替順序ｉのサブリストに次のコンテンツＩＤがない場合、すなわち切替順序ｉのサブリストに示された全てのコンテンツＩＤについての再生指令を発した場合にはｉ＝ｉ＋１としてステップＳ２２ａに移行しても良い。【００４３】
ステップＳ２３ａにおいて切替順序ｉのサブリストの再生切換条件を満たす場合には、メインリストの割込条件を取得し（ステップＳ２６）、その割込条件を満たす場合には、切替順序ｉのサブリストによるコンテンツ再生部５の現在の再生位置を取得して保存し（ステップＳ２８ａ）、メインリストの保存再生位置からのコンテンツ再生をコンテンツ再生部５に指令する（ステップＳ２９）。【００４４】
このように複数のサブリストを用いる場合には１のサブリストの割込条件が満たされない場合でも他のサブリストの割込条件が満たされたり、また、その逆も生じるので、メインリストによるコンテンツ再生中にサブリストによるコンテンツ再生に移行する可能性が高くなる。【００４５】
図５に示した実施例においては、ステップＳ１１ではメインリストと共にサブリストをプレイリストＤＢ部３ｂに記憶されたプレイリストからユーザの入力操作に応じて選択して設定することが行われるが、メインリスト内で切替先のプレイリストを指定するようにしても良い。例えば、図７に示すように、プレイリスト再生動作において、先ず、メインリストだけがユーザの操作部１１の操作によって選択設定され（ステップＳ３１）、メインリストの再生順序で定まる再生位置を保持すると共にメインリストから切替先のプレイリストを読み出してそれをサブリストとし（ステップＳ３２）、そのサブリストの再生順序で定まる再生位置を保持することが行われる（ステップＳ３３）。その他の動作は図５の動作と同一である。【００４６】
また、図５に示したプレイリスト再生動作におけるステップＳ１１〜Ｓ１２の部分を図８に示すように、置き換えても良い。すなわち、図８のプレイリスト再生動作においては、先ず、メインリストだけがユーザの操作部１１の操作によって選択設定され（ステップＳ４１）、そのメインリストに切替先のプレイリストの指定があるか否かが判別される（ステップＳ４２）。メインリストに切替先のプレイリストの指定がある場合にはその切替先のプレイリストを読み出してそれをサブリストとして設定し（ステップＳ４３）、切替先のプレイリストの指定がない場合にはサブリストがプレイリストＤＢ部３ｂに記憶されたプレイリストからユーザの入力操作に応じて選択設定される（ステップＳ４４）。その後は、図５のプレイリスト再生動作と同様に、ステップＳ４１で設定したメインリストの再生順序で定まる再生位置と、ステップＳ４３又はＳ４４で設定したサブリストの再生順序で定まる再生位置を保持することが行われる（ステップＳ４５）。【００４７】
更に、サブリストに切替先のプレイリストがある場合には、サブリストの再生切替条件を満たしてもメインリストに戻らず、その切替先のプレイリストをプレイリストＤＢ部３ｂから読み出してそのプレイリストに従った再生動作を行うようにしても良い。【００４８】
また、再生切替条件として切替先のプレイリストによるコンテンツ再生期間に制限を与えるようにしても良い。この場合には、図９に示すように、プレイリストテーブルにはプレイリスト毎にプレイリストＩＤ、時間条件、割込条件、再生順序、消費ポイント、切替先ポイント、収録コンテンツＩＤ及び切替先プレイリストＩＤが含まれる。消費ポイントは１コンテンツ毎に消費されるポイントを示す。切替先ポイントは切替先のプレイリストによるコンテンツ再生において消費可能なポイントを示す。切替先プレイリストＩＤが切替先のプレイリストを示している。【００４９】
切替先のプレイリストによるコンテンツ再生期間に制限を与える場合のプレイリスト再生動作においては、コンテンツ選択部４は図１０に示すように、先ず、プレイリストＤＢ部３ｂに記憶された複数のプレイリストからユーザの入力操作に応じて１プレイリストを現プレイリストとして選択して設定する（ステップＳ５１）。現プレイリストの設定後、プレイリスト再生ポイントに初期値を設定する（ステップＳ５２）。プレイリスト再生ポイントは現時点で現プレイリストに従ってコンテンツ再生できるポイントを示す。初期値は例えば、１０である。【００５０】
ステップＳ５２の実行後、現プレイリストの再生順序で定まる再生位置を保持し（ステップＳ５３）、現プレイリストの再生位置からのコンテンツ再生をコンテンツ再生部５に指令する（ステップＳ５４）。再生コンテンツ再生部５はそのプレイリスト再生指令に応じて現プレイリストの再生位置に関するコンテンツＩＤの音声データをコンテンツＤＢ部３ａから読み出し、それを再生位置から再生して音声信号をスピーカ１３に出力することを開始する。【００５１】
コンテンツ選択部４は、ステップＳ５４のプレイリスト再生指令後、再生指令によるコンテンツＩＤにて指定されたコンテンツ再生が終了したか否かを判別する（ステップＳ５５）。これはコンテンツ再生部５の再生状態に応じて判別される。コンテンツ再生が終了したならば、現プレイリストの消費ポイントを取得し（ステップＳ５６）、プレイリスト再生ポイントから消費ポイントを差し引き、新たなプレイリスト再生ポイントを算出する（ステップＳ５７）。算出したプレイリスト再生ポイントが０以下であるか否かを判別する（ステップＳ５８）。プレイリスト再生ポイント＞０であるならば、現プレイリストの再生順序で定まる次のコンテンツＩＤの音声データの再生をコンテンツ再生部５に指令する（ステップＳ５９）。ステップＳ５４のプレイリスト再生指令の場合と同様に、コンテンツ再生部５はそのプレイリスト再生指令に応じてコンテンツＩＤにて指定されたコンテンツの音声データをコンテンツＤＢ部３ａから読み出し、それを再生して音声信号をスピーカ１３に出力することを開始する。その後、ステップＳ５５に進む。【００５２】
ステップＳ５８においてプレイリスト再生ポイント≦０であるならば、現プレイリストの切替先ポイントを新たなプレイリスト再生ポイントとし（ステップＳ６０）、現プレイリストに切替先のプレイリストが指定されているか否かを判別する（ステップＳ６１）。切替先のプレイリストが指定されているならば、その切替先のプレイリストを新たな現プレイリストとする（ステップＳ６２）。【００５３】
現プレイリストに切替先のプレイリストが指定されていない場合には、プレイリストＤＢ部３ｂから現プレイリスト以外のプレイリストを抽出し（ステップＳ６３）、その中から割込条件を満たす１のプレイリストをランダムに選択してそれを現プレイリストとする（ステップＳ６４）。【００５４】
コンテンツ選択部４は、ステップＳ６２又はＳ６４で定めた現プレイリストを用いてステップＳ５３に戻って上記の動作を繰り返す。【００５５】
かかる図１０のプレイリスト再生動作においては、プレイリスト再生ポイントが０より大であるならば現プレイリストによるコンテンツ再生を繰り返し、プレイリスト再生ポイントが０以下になると、他のプレイリストが現プレイリストとして設定される。このように現プレイリストが切り替わる場合には、それまでの現プレイリストの切替先ポイントがプレイリスト再生ポイントとして設定されるので、切替先のプレイリストによるコンテンツ再生期間が制限されることになる。例えば、図９に示したプレイリストテーブルのプレイリスト１によるコンテンツ再生からプレイリスト２によるコンテンツ再生に切り替わった場合に、プレイリスト２によるコンテンツ再生にはプレイリスト１の切替先ポイント１０が与えられる。プレイリスト２の１コンテンツ当たりの消費ポイントは５であるので、プレイリスト２によるコンテンツ再生では２つのコンテンツが再生されると、再生動作はプレイリスト１によるコンテンツ再生に復帰することになる。この復帰ではプレイリスト１によるコンテンツ再生にはプレイリスト２の切替先ポイント３０が与えられる。プレイリスト１の１コンテンツ当たりの消費ポイントは１であるので、プレイリスト２によるコンテンツ再生では３０のコンテンツが再生される。【００５６】
なお、図１０のプレイリスト動作においては、現プレイリストの時間条件及び割込条件各々を満たしているか否かが判別されていないが、図５に示したプレイリスト動作のように判別しても良い。【００５７】
プレイリストＤＢ部１３ｂに保存されるプレイリストは図３及び図９に示したものに限定されない。例えば、図１１に示すように、プレイリストに再生制御として再生音量を指定しても良い。再生音量が指定されたプレイリストに示されたコンテンツの再生時にはその再生音量に応じてコンテンツ再生部５によって音声信号のレベルが調整される。【００５８】
また、図１２に示すように、プレイリストのコンテンツとしてコンテンツＤＢ部３ａに含まれる以外のコンテンツを指定しても良い。例えば、割込条件として高速道路が設定されている場合にコンテンツＩＤとして交通情報のラジオ放送チャンネルが指定されても良い。また、時間条件として１９：００−２０：００が設定されている場合にコンテンツＩＤとして野球放送のラジオ放送チャンネルが指定されても良い。また、割込条件として交通情報や野球放送等の特定のコンテンツを指定しても良い。例えば、割込条件として交通情報を指定したプレイレストならば、交通情報の放送中であるならば、現プレイリストがそのプレイリストに切り替わるのである。【００５９】
なお、コンテンツＤＢ部３ａに蓄積されたコンテンツとしては音声データに限らず、映像データを含んでも良く、その場合にはコンテンツ再生部５は映像データに応じて映像信号を生成し、それを表示装置に出力する。
【符号の説明】
【００６０】
２  再生環境取得部
３  データ記録部
４  コンテンツ選択部
５  コンテンツ再生部
６  プレイリスト提示部
８  プレイリスト作成部
【図１】
2010109604.tif 000003
【図２】
2010109604.tif 000004
【図３】
2010109604.tif 000005
【図４】
2010109604.tif 000006
【図５】
2010109604.tif 000007
【図６】
2010109604.tif 000008
【図７】
2010109604.tif 000009
【図８】
2010109604.tif 000010
【図９】
2010109604.tif 000011
【図１０】
2010109604.tif 000012
【図１１】
2010109604.tif 000013
【図１２】
2010109604.tif 000014
【手続補正書】
【提出日】平成23年4月25日(2011.4.25)
【手続補正１】
【補正対象書類名】特許請求の範囲
【補正対象項目名】全文
【補正方法】変更
【補正の内容】
【特許請求の範囲】
【請求項１】
各々が少なくとも１つのコンテンツと、再生切替条件と、プレイリスト開始条件とを示す複数のプレイリストを記憶部に記憶したコンテンツ再生装置であって、
前記複数のプレイリストのうちのいずれか１のプレイリストを現プレイリストとして選択する選択手段と、
前記選択手段によって選択された前記現プレイリストに示されたコンテンツを再生する再生手段と、
前記再生手段の再生状態が前記再生切替条件を満たすか否かを判別する第１判別手段と、を備え、
前記選択手段は、前記第１判別手段により前記再生手段の再生状態が前記現プレイリストに示された前記再生切替条件を満たすと判別されたとき前記現プレイリスト以外の前記複数のプレイリストのうちの前記プレイリスト開始条件を満たす１のプレイリストを前記現プレイリストとして新たに選択し、その新たに選択した前記現プレイリストに示されたコンテンツを前記再生手段に再生させ、
前記プレイリスト開始条件は前記再生装置の再生環境を特定する割込条件と、前記プレイリストの切替時間帯を示す時間条件との少なくとも１を含むことを特徴とするコンテンツ再生装置。
【請求項２】
前記選択手段は、操作に応じて前記複数のプレイリストのうちから切替先のプレイリストを設定する手段と、
前記第１判別手段により前記現プレイリストに示された前記再生切替条件を満たすと判別されたとき前記切替先のプレイリストが前記プレイリスト開始条件を満たすか否かを判別する第２判別手段と、を有し、
前記第２判別手段により前記切替先のプレイリストが前記プレイリスト開始条件を満たすと判別されたとき前記切替先のプレイリストを前記現プレイリストとして新たに選択することを特徴とすることを特徴とする請求項１記載のコンテンツ再生装置。
【請求項３】
前記複数のプレイリスト各々は前記再生切替条件及び前記プレイリスト開始条件の他に切替先のプレイリストを示し、
前記第１判別手段により前記現プレイリストに示された前記再生切替条件を満たすと判別されたとき前記切替先のプレイリストが前記プレイリスト開始条件を満たすか否かを判別する第２判別手段と、を有し、
前記第２判別手段により前記切替先のプレイリストが前記プレイリスト開始条件を満たすと判別されたとき前記切替先のプレイリストを前記現プレイリストとして新たに選択することを特徴とすることを特徴とする請求項１記載のコンテンツ再生装置。
【請求項４】
前記選択手段は、操作に応じて前記複数のプレイリストのうちから複数の切替先のプレイリストを設定する手段を備え、
前記第１判別手段により前記現プレイリストに示された前記再生切替条件を満たすと判別されたとき前記複数の切替先のプレイリストのうちから前記プレイリスト開始条件を満たす１つの切替先のプレイリストを前記現プレイリストとして新たに選択することを特徴とすることを特徴とする請求項１記載のコンテンツ再生装置。
【請求項５】
前記プレイリストは、前記示されたコンテンツの再生制御方法を示すことを特徴とする請求項１記載のコンテンツ再生装置。
【請求項６】
前記プレイリストは、前記コンテンツとして放送番組を示すことを特徴とする請求項１記載のコンテンツ再生装置。
【請求項７】
各々が少なくとも１つのコンテンツを示す複数のプレイリストを記憶部に記憶したコンテンツ再生装置であって、
前記複数のプレイリストのうちのいずれか１のプレイリストを現プレイリストとして選択する選択手段と、
前記選択手段によって選択された前記現プレイリストに示されたコンテンツを再生する再生手段と、
前記再生手段の再生状態が再生切替条件を満たすか否かを判別する第１判別手段と、を備え、
前記選択手段は、前記第１判別手段により前記再生手段の再生状態が前記現プレイリストに示された前記再生切替条件を満たすと判別されたとき前記複数のプレイリストのうちから１のプレイリストを前記現プレイリストとして新たに選択し、その新たに選択した前記現プレイリストに示されたコンテンツを前記再生手段に再生させ、
前記複数のプレイリスト各々は前記再生切替条件として切替先ポイント及び消費ポイントを示し、前記切替先ポイントは切替前の前記現プレイリストから切替後の前記現プレイリストによるコンテンツ再生動作に与えられるポイントであり、前記消費ポイントは１コンテンツ再生当たりに消費されるポイントであり、
前記第１判別手段は、切替後の前記現プレイリストに示されたコンテンツの１コンテンツ再生毎に切替前の前記現プレイリストに示された前記切替先ポイントから切替後の前記現プレイリストに示された前記消費ポイントを差し引き、その結果が０以下になったとき前記再生手段の再生状態が前記再生切替条件を満たしたと判別することを特徴とするコンテンツ再生装置。
【請求項８】
各々が少なくとも１つのコンテンツと、再生切替条件と、プレイリスト開始条件とを示す複数のプレイリストを記憶部に記憶したコンテンツ再生装置の制御方法であって、
前記複数のプレイリストのうちのいずれか１のプレイリストを現プレイリストとして選択する選択ステップと、
前記選択ステップによって選択された前記現プレイリストに示されたコンテンツを再生手段に再生させる再生ステップと、
前記再生手段の再生状態が前記再生切替条件を満たすか否かを判別する判別ステップと、を備え、
前記選択ステップは、前記判別ステップにより前記再生手段の再生状態が前記現プレイリストに示された前記再生切替条件を満たすと判別されたとき前記現プレイリスト以外の前記複数のプレイリストのうちの前記プレイリスト開始条件を満たす１のプレイリストを前記現プレイリストとして新たに選択し、その新たに選択した前記現プレイリストに示されたコンテンツを前記再生ステップで前記再生装置に再生させ、
前記プレイリスト開始条件は前記再生装置の再生環境を特定する割込条件と、前記プレイリストの切替時間帯を示す時間条件との少なくとも１を含むことを特徴とする制御方法。
【請求項９】
各々が少なくとも１つのコンテンツを示す複数のプレイリストを記憶部に記憶したコンテンツ再生装置の制御方法であって、
前記複数のプレイリストのうちのいずれか１のプレイリストを現プレイリストとして選択する選択ステップと、
前記選択ステップによって選択された前記現プレイリストに示されたコンテンツを再生手段に再生させる再生ステップと、
前記再生手段の再生状態が再生切替条件を満たすか否かを判別する判別ステップと、を備え、
前記選択ステップは、前記判別ステップにより前記再生手段の再生状態が前記現プレイリストに示された前記再生切替条件を満たすと判別されたとき前記複数のプレイリストのうちから１のプレイリストを前記現プレイリストとして新たに選択し、その新たに選択した前記現プレイリストに示されたコンテンツを前記再生ステップで前記再生手段に再生させ、
前記複数のプレイリスト各々は前記再生切替条件として切替先ポイント及び消費ポイントを示し、前記切替先ポイントは切替前の前記現プレイリストから切替後の前記現プレイリストによるコンテンツ再生動作に与えられるポイントであり、前記消費ポイントは１コンテンツ再生当たりに消費されるポイントであり、
前記判別ステップでは、切替後の前記現プレイリストに示されたコンテンツの１コンテンツ再生毎に切替前の前記現プレイリストに示された前記切替先ポイントから切替後の前記現プレイリストに示された前記消費ポイントを差し引き、その結果が０以下になったとき前記再生手段の再生状態が前記再生切替条件を満たしたと判別することを特徴とする制御方法。
【手続補正２】
【補正対象書類名】明細書
【補正対象項目名】０００５
【補正方法】変更
【補正の内容】
【０００５】
請求項１に係る本発明のコンテンツ再生装置は、各々が少なくとも１つのコンテンツと、再生切替条件と、プレイリスト開始条件とを示す複数のプレイリストを記憶部に記憶したコンテンツ再生装置であって、前記複数のプレイリストのうちのいずれか１のプレイリストを現プレイリストとして選択する選択手段と、前記選択手段によって選択された前記現プレイリストに示されたコンテンツを再生する再生手段と、前記再生手段の再生状態が前記再生切替条件を満たすか否かを判別する第１判別手段と、を備え、前記選択手段は、前記第１判別手段により前記再生手段の再生状態が前記現プレイリストに示された前記再生切替条件を満たすと判別されたとき前記現プレイリスト以外の前記複数のプレイリストのうちの前記プレイリスト開始条件を満たす１のプレイリストを前記現プレイリストとして新たに選択し、その新たに選択した前記現プレイリストに示されたコンテンツを前記再生手段に再生させ、前記プレイリスト開始条件は前記再生装置の再生環境を特定する割込条件と、前記プレイリストの切替時間帯を示す時間条件との少なくとも１を含むことを特徴としている。
請求項７に係る本発明のコンテンツ再生装置は、各々が少なくとも１つのコンテンツを示す複数のプレイリストを記憶部に記憶したコンテンツ再生装置であって、前記複数のプレイリストのうちのいずれか１のプレイリストを現プレイリストとして選択する選択手段と、前記選択手段によって選択された前記現プレイリストに示されたコンテンツを再生する再生手段と、前記再生手段の再生状態が再生切替条件を満たすか否かを判別する第１判別手段と、を備え、前記選択手段は、前記第１判別手段により前記再生手段の再生状態が前記現プレイリストに示された前記再生切替条件を満たすと判別されたとき前記複数のプレイリストのうちから１のプレイリストを前記現プレイリストとして新たに選択し、その新たに選択した前記現プレイリストに示されたコンテンツを前記再生手段に再生させ、前記複数のプレイリスト各々は前記再生切替条件として切替先ポイント及び消費ポイントを示し、前記切替先ポイントは切替前の前記現プレイリストから切替後の前記現プレイリストによるコンテンツ再生動作に与えられるポイントであり、前記消費ポイントは１コンテンツ再生当たりに消費されるポイントであり、前記第１判別手段は、切替後の前記現プレイリストに示されたコンテンツの１コンテンツ再生毎に切替前の前記現プレイリストに示された前記切替先ポイントから切替後の前記現プレイリストに示された前記消費ポイントを差し引き、その結果が０以下になったとき前記再生手段の再生状態が前記再生切替条件を満たしたと判別することを特徴としている。
【手続補正３】
【補正対象書類名】明細書
【補正対象項目名】０００６
【補正方法】変更
【補正の内容】
【０００６】
請求項８に係る本発明のコンテンツ再生装置の制御方法は、各々が少なくとも１つのコンテンツと、再生切替条件と、プレイリスト開始条件とを示す複数のプレイリストを記憶部に記憶したコンテンツ再生装置の制御方法であって、前記複数のプレイリストのうちのいずれか１のプレイリストを現プレイリストとして選択する選択ステップと、前記選択ステップによって選択された前記現プレイリストに示されたコンテンツを再生手段に再生させる再生ステップと、前記再生手段の再生状態が前記再生切替条件を満たすか否かを判別する判別ステップと、を備え、前記選択ステップは、前記判別ステップにより前記再生手段の再生状態が前記現プレイリストに示された前記再生切替条件を満たすと判別されたとき前記現プレイリスト以外の前記複数のプレイリストのうちの前記プレイリスト開始条件を満たす１のプレイリストを前記現プレイリストとして新たに選択し、その新たに選択した前記現プレイリストに示されたコンテンツを前記再生ステップで前記再生装置に再生させ、前記プレイリスト開始条件は前記再生装置の再生環境を特定する割込条件と、前記プレイリストの切替時間帯を示す時間条件との少なくとも１を含むことを特徴としている。
請求項９に係る本発明のコンテンツ再生装置の制御方法は、各々が少なくとも１つのコンテンツを示す複数のプレイリストを記憶部に記憶したコンテンツ再生装置の制御方法であって、前記複数のプレイリストのうちのいずれか１のプレイリストを現プレイリストとして選択する選択ステップと、前記選択ステップによって選択された前記現プレイリストに示されたコンテンツを再生手段に再生させる再生ステップと、前記再生手段の再生状態が再生切替条件を満たすか否かを判別する判別ステップと、を備え、前記選択ステップは、前記判別ステップにより前記再生手段の再生状態が前記現プレイリストに示された前記再生切替条件を満たすと判別されたとき前記複数のプレイリストのうちから１のプレイリストを前記現プレイリストとして新たに選択し、その新たに選択した前記現プレイリストに示されたコンテンツを前記再生ステップで前記再生手段に再生させ、前記複数のプレイリスト各々は前記再生切替条件として切替先ポイント及び消費ポイントを示し、前記切替先ポイントは切替前の前記現プレイリストから切替後の前記現プレイリストによるコンテンツ再生動作に与えられるポイントであり、前記消費ポイントは１コンテンツ再生当たりに消費されるポイントであり、前記判別ステップでは、切替後の前記現プレイリストに示されたコンテンツの１コンテンツ再生毎に切替前の前記現プレイリストに示された前記切替先ポイントから切替後の前記現プレイリストに示された前記消費ポイントを差し引き、その結果が０以下になったとき前記再生手段の再生状態が前記再生切替条件を満たしたと判別することを特徴としている。
【手続補正４】
【補正対象書類名】明細書
【補正対象項目名】０００７
【補正方法】変更
【補正の内容】
【０００７】
請求項１に係る本発明のコンテンツ再生装置及び請求項８に係る本発明の制御方法においては、各々が少なくとも１つのコンテンツと、再生切替条件と、プレイリスト開始条件とを示す複数のプレイリストが記憶部に記憶されており、プレイリスト開始条件は再生装置の再生環境を特定する割込条件と、プレイリストの切替時間帯を示す時間条件との少なくとも１を含む。現プレイリストによる再生手段のコンテンツ再生中にその再生状態が再生切替条件を満たすと、現プレイリスト以外の複数のプレイリストのうちのプレイリスト開始条件を満たす１のプレイリストが新たな現プレイリストとなり、その新たな現プレイリストによるコンテンツ再生に移行することができる。複数のプレイリスト毎に再生切替条件を定めることにより、再生手段の再生状態に応じてプレイリストを切り替えてプレイリストによるコンテンツ再生を行うことができる。
請求項７に係る本発明のコンテンツ再生装置及び請求項９に係る本発明の制御方法においては、複数のプレイリスト各々は再生切替条件として切替先ポイント及び消費ポイントを示し、切替先ポイントは切替前の現プレイリストから切替後の現プレイリストによるコンテンツ再生動作に与えられるポイントであり、消費ポイントは１コンテンツ再生当たりに消費されるポイントであり、切替後の現プレイリストに示されたコンテンツの１コンテンツ再生毎に切替前の現プレイリストに示された切替先ポイントから切替後の現プレイリストに示された消費ポイントを差し引き、その結果が０以下になったとき再生手段の再生状態が再生切替条件を満たしたと判別するので、再生切替条件を満たしたときに複数のプレイリストのうちから１のプレイリストを現プレイリストとして新たに選択し、その新たに選択した現プレイリストに示されたコンテンツを再生手段に再生させることができる。
【手続補正書】
【提出日】平成24年5月17日(2012.5.17)
【手続補正１】
【補正対象書類名】特許請求の範囲
【補正対象項目名】全文
【補正方法】変更
【補正の内容】
【特許請求の範囲】
【請求項１】
各々が少なくとも１つのコンテンツと、再生切替条件と、プレイリスト開始条件とを示す複数のプレイリストを記憶部に記憶したコンテンツ再生装置であって、
前記複数のプレイリストのうちのいずれか１のプレイリストを現プレイリストとして選択する選択手段と、
前記選択手段によって選択された前記現プレイリストに示されたコンテンツを再生する再生手段と、
前記再生手段の再生状態が前記再生切替条件を満たすか否かを判別する第１判別手段と、を備え、
前記選択手段は、前記現プレイリストに切替先のプレイリストの指定があるか否かを判別する手段と、
前記現プレイリストに前記切替先のプレイリストの指定があるときその指定のプレイリストをそのまま前記切替先のプレイリストとして設定し、前記現プレイリストに前記切替先のプレイリストの指定がないとき操作に応じて前記複数のプレイリストのうちから前記切替先のプレイリストを設定するプレイリスト設定手段と、
前記第１判別手段により前記現プレイリストに示された前記再生切替条件を満たすと判別されたとき、前記プレイリスト設定手段によって設定された前記切替先のプレイリストが前記プレイリスト開始条件を満たすか否かを判別する第２判別手段と、を含み、
前記第２判別手段により前記切替先のプレイリストが前記プレイリスト開始条件を満たすと判別されたとき前記現プレイリストのコンテンツ再生を停止させ、前記切替先のプレイリストを前記現プレイリストとして新たに選択し、その新たに選択した前記現プレイリストに示されたコンテンツを前記再生手段に再生させ、
前記プレイリスト開始条件は前記再生装置の再生環境を特定する割込条件と、前記プレイリストの切替時間帯を示す時間条件との少なくとも１を含むことを特徴とするコンテンツ再生装置。
【請求項２】
前記第２判別手段により前記切替先のプレイリストが前記プレイリスト開始条件を満たすと判別されたとき、コンテンツ再生停止の前記現プレイリストによる前記再生手段の現在の再生位置を保存する保存手段を含み、  
前記再生手段は、前記新たに選択した前記現プレイリストに示されたコンテンツを、前記新たに選択した前記現プレイリストについて前記保存手段に保存された再生位置から再生を開始することを特徴とする請求項１記載のコンテンツ再生装置。
【請求項３】
前記プレイリストは、前記示されたコンテンツの再生制御方法を示すことを特徴とする請求項１記載のコンテンツ再生装置。
【請求項４】
前記プレイリストは、前記コンテンツとして放送番組を示すことを特徴とする請求項１記載のコンテンツ再生装置。
【請求項５】
各々が少なくとも１つのコンテンツと、再生切替条件と、プレイリスト開始条件とを示す複数のプレイリストを記憶部に記憶したコンテンツ再生装置の制御方法であって、
前記複数のプレイリストのうちのいずれか１のプレイリストを現プレイリストとして選択する選択ステップと、
前記選択ステップによって選択された前記現プレイリストに示されたコンテンツを再生手段に再生させる再生ステップと、
前記再生手段の再生状態が前記再生切替条件を満たすか否かを判別する第１判別ステップと、を備え、
前記選択ステップは、前記判別ステップにより前記再生手段の再生状態が前記現プレイリストに示された前記再生切替条件を満たすと判別されたとき前記現プレイリスト以外の前記複数のプレイリストのうちの前記プレイリスト開始条件を満たす１のプレイリストを前記現プレイリストとして新たに選択し、その新たに選択した前記現プレイリストに示されたコンテンツを前記再生ステップで前記再生装置に再生させ、
前記選択ステップは、前記現プレイリストに切替先のプレイリストの指定があるか否かを判別するステップと、
前記現プレイリストに前記切替先のプレイリストの指定があるときその指定のプレイリストをそのまま前記切替先のプレイリストとして設定し、前記現プレイリストに前記切替先のプレイリストの指定がないとき操作に応じて前記複数のプレイリストのうちから前記切替先のプレイリストを設定するプレイリスト設定ステップと、
前記第１判別ステップにより前記現プレイリストに示された前記再生切替条件を満たすと判別されたとき、前記プレイリスト設定ステップにて設定された前記切替先のプレイリストが前記プレイリスト開始条件を満たすか否かを判別する第２判別ステップと、を含み、
前記第２判別ステップにより前記切替先のプレイリストが前記プレイリスト開始条件を満たすと判別されたとき前記現プレイリストのコンテンツ再生を停止させ、前記切替先のプレイリストを前記現プレイリストとして新たに選択し、その新たに選択した前記現プレイリストに示されたコンテンツを前記再生ステップで前記再生装置に再生させ、
前記プレイリスト開始条件は前記再生装置の再生環境を特定する割込条件と、前記プレイリストの切替時間帯を示す時間条件との少なくとも１を含むことを特徴とする制御方法。
【請求項６】
各々が少なくとも１つのコンテンツと、再生切替条件と、プレイリスト開始条件とを示す複数のプレイリストを記憶部に記憶したコンテンツ再生装置の制御方法を実行するためのプログラムを記録したコンピュータ読取可能な記録媒体であって、
前記制御方法は、
前記複数のプレイリストのうちのいずれか１のプレイリストを現プレイリストとして選択する選択ステップと、
前記選択ステップによって選択された前記現プレイリストに示されたコンテンツを再生手段に再生させる再生ステップと、
前記再生手段の再生状態が前記再生切替条件を満たすか否かを判別する第１判別ステップと、を備え、
前記選択ステップは、前記判別ステップにより前記再生手段の再生状態が前記現プレイリストに示された前記再生切替条件を満たすと判別されたとき前記現プレイリスト以外の前記複数のプレイリストのうちの前記プレイリスト開始条件を満たす１のプレイリストを前記現プレイリストとして新たに選択し、その新たに選択した前記現プレイリストに示されたコンテンツを前記再生ステップで前記再生装置に再生させ、
前記選択ステップは、前記現プレイリストに切替先のプレイリストの指定があるか否かを判別するステップと、
前記現プレイリストに前記切替先のプレイリストの指定があるときその指定のプレイリストをそのまま前記切替先のプレイリストとして設定し、前記現プレイリストに前記切替先のプレイリストの指定がないとき操作に応じて前記複数のプレイリストのうちから前記切替先のプレイリストを設定するプレイリスト設定ステップと、
前記第１判別ステップにより前記現プレイリストに示された前記再生切替条件を満たすと判別されたとき、前記プレイリスト設定ステップにて設定された前記切替先のプレイリストが前記プレイリスト開始条件を満たすか否かを判別する第２判別ステップと、を含み、
前記第２判別ステップにより前記切替先のプレイリストが前記プレイリスト開始条件を満たすと判別されたとき前記現プレイリストのコンテンツ再生を停止させ、前記切替先のプレイリストを前記現プレイリストとして新たに選択し、その新たに選択した前記現プレイリストに示されたコンテンツを前記再生ステップで前記再生装置に再生させ、
前記プレイリスト開始条件は前記再生装置の再生環境を特定する割込条件と、前記プレイリストの切替時間帯を示す時間条件との少なくとも１を含むことを特徴とする記録媒体。
【手続補正３】
【補正対象書類名】明細書
【補正対象項目名】０００１
【補正方法】変更
【補正の内容】
【０００１】
本発明は、複数のコンテンツをプレイリストに示された再生順序に従って自動再生するコンテンツ再生装置、その制御方法及び記録媒体に関する。
【手続補正４】
【補正対象書類名】明細書
【補正対象項目名】０００４
【補正方法】変更
【補正の内容】
【０００４】
そこで、本発明が解決しようとする課題には、上記の欠点が一例として挙げられ、プレイリストによるコンテンツ再生から他のプレイリストによるコンテンツ再生へ自動切り替えを可能にしたコンテンツ再生装置、その制御方法及び記録媒体を提供することを本発明の目的とする。
【手続補正５】
【補正対象書類名】明細書
【補正対象項目名】０００５
【補正方法】変更
【補正の内容】
【０００５】
請求項１に係る発明のコンテンツ再生装置は、各々が少なくとも１つのコンテンツと、再生切替条件と、プレイリスト開始条件とを示す複数のプレイリストを記憶部に記憶したコンテンツ再生装置であって、前記複数のプレイリストのうちのいずれか１のプレイリストを現プレイリストとして選択する選択手段と、前記選択手段によって選択された前記現プレイリストに示されたコンテンツを再生する再生手段と、前記再生手段の再生状態が前記再生切替条件を満たすか否かを判別する第１判別手段と、を備え、前記選択手段は、前記現プレイリストに切替先のプレイリストの指定があるか否かを判別する手段と、前記現プレイリストに前記切替先のプレイリストの指定があるときその指定のプレイリストをそのまま前記切替先のプレイリストとして設定し、前記現プレイリストに前記切替先のプレイリストの指定がないとき操作に応じて前記複数のプレイリストのうちから前記切替先のプレイリストを設定するプレイリスト設定手段と、前記第１判別手段により前記現プレイリストに示された前記再生切替条件を満たすと判別されたとき、前記プレイリスト設定手段によって設定された前記切替先のプレイリストが前記プレイリスト開始条件を満たすか否かを判別する第２判別手段と、を含み、前記第２判別手段により前記切替先のプレイリストが前記プレイリスト開始条件を満たすと判別されたとき前記現プレイリストのコンテンツ再生を停止させ、前記切替先のプレイリストを前記現プレイリストとして新たに選択し、その新たに選択した前記現プレイリストに示されたコンテンツを前記再生手段に再生させ、前記プレイリスト開始条件は前記再生装置の再生環境を特定する割込条件と、前記プレイリストの切替時間帯を示す時間条件との少なくとも１を含むことを特徴としている。
【手続補正６】
【補正対象書類名】明細書
【補正対象項目名】０００６
【補正方法】変更
【補正の内容】
【０００６】
請求項５に係る発明のコンテンツ再生装置の制御方法は、各々が少なくとも１つのコンテンツと、再生切替条件と、プレイリスト開始条件とを示す複数のプレイリストを記憶部に記憶したコンテンツ再生装置の制御方法であって、前記複数のプレイリストのうちのいずれか１のプレイリストを現プレイリストとして選択する選択ステップと、前記選択ステップによって選択された前記現プレイリストに示されたコンテンツを再生手段に再生させる再生ステップと、前記再生手段の再生状態が前記再生切替条件を満たすか否かを判別する第１判別ステップと、を備え、前記選択ステップは、前記判別ステップにより前記再生手段の再生状態が前記現プレイリストに示された前記再生切替条件を満たすと判別されたとき前記現プレイリスト以外の前記複数のプレイリストのうちの前記プレイリスト開始条件を満たす１のプレイリストを前記現プレイリストとして新たに選択し、その新たに選択した前記現プレイリストに示されたコンテンツを前記再生ステップで前記再生装置に再生させ、前記選択ステップは、前記現プレイリストに切替先のプレイリストの指定があるか否かを判別するステップと、前記現プレイリストに前記切替先のプレイリストの指定があるときその指定のプレイリストをそのまま前記切替先のプレイリストとして設定し、前記現プレイリストに前記切替先のプレイリストの指定がないとき操作に応じて前記複数のプレイリストのうちから前記切替先のプレイリストを設定するプレイリスト設定ステップと、前記第１判別ステップにより前記現プレイリストに示された前記再生切替条件を満たすと判別されたとき、前記プレイリスト設定ステップにて設定された前記切替先のプレイリストが前記プレイリスト開始条件を満たすか否かを判別する第２判別ステップと、を含み、前記第２判別ステップにより前記切替先のプレイリストが前記プレイリスト開始条件を満たすと判別されたとき前記現プレイリストのコンテンツ再生を停止させ、前記切替先のプレイリストを前記現プレイリストとして新たに選択し、その新たに選択した前記現プレイリストに示されたコンテンツを前記再生ステップで前記再生装置に再生させ、前記プレイリスト開始条件は前記再生装置の再生環境を特定する割込条件と、前記プレイリストの切替時間帯を示す時間条件との少なくとも１を含むことを特徴としている。
請求項６に係る発明の記録媒体は、各々が少なくとも１つのコンテンツと、再生切替条件と、プレイリスト開始条件とを示す複数のプレイリストを記憶部に記憶したコンテンツ再生装置の制御方法を実行するためのプログラムを記録したコンピュータ読取可能な記録媒体であって、前記制御方法は、前記複数のプレイリストのうちのいずれか１のプレイリストを現プレイリストとして選択する選択ステップと、前記選択ステップによって選択された前記現プレイリストに示されたコンテンツを再生手段に再生させる再生ステップと、前記再生手段の再生状態が前記再生切替条件を満たすか否かを判別する第１判別ステップと、を備え、前記選択ステップは、前記判別ステップにより前記再生手段の再生状態が前記現プレイリストに示された前記再生切替条件を満たすと判別されたとき前記現プレイリスト以外の前記複数のプレイリストのうちの前記プレイリスト開始条件を満たす１のプレイリストを前記現プレイリストとして新たに選択し、その新たに選択した前記現プレイリストに示されたコンテンツを前記再生ステップで前記再生装置に再生させ、前記選択ステップは、前記現プレイリストに切替先のプレイリストの指定があるか否かを判別するステップと、前記現プレイリストに前記切替先のプレイリストの指定があるときその指定のプレイリストをそのまま前記切替先のプレイリストとして設定し、前記現プレイリストに前記切替先のプレイリストの指定がないとき操作に応じて前記複数のプレイリストのうちから前記切替先のプレイリストを設定するプレイリスト設定ステップと、前記第１判別ステップにより前記現プレイリストに示された前記再生切替条件を満たすと判別されたとき、前記プレイリスト設定ステップにて設定された前記切替先のプレイリストが前記プレイリスト開始条件を満たすか否かを判別する第２判別ステップと、を含み、前記第２判別ステップにより前記切替先のプレイリストが前記プレイリスト開始条件を満たすと判別されたとき前記現プレイリストのコンテンツ再生を停止させ、前記切替先のプレイリストを前記現プレイリストとして新たに選択し、その新たに選択した前記現プレイリストに示されたコンテンツを前記再生ステップで前記再生装置に再生させ、前記プレイリスト開始条件は前記再生装置の再生環境を特定する割込条件と、前記プレイリストの切替時間帯を示す時間条件との少なくとも１を含むことを特徴としている。
【手続補正７】
【補正対象書類名】明細書
【補正対象項目名】０００７
【補正方法】変更
【補正の内容】
【０００７】
請求項１に係る本発明のコンテンツ再生装置、請求項５に係る本発明の制御方法及び請求項６に係る本発明の記録媒体においては、各々が少なくとも１つのコンテンツと、再生切替条件と、プレイリスト開始条件とを示す複数のプレイリストが記憶部に記憶されており、プレイリスト開始条件は再生手段の再生環境を特定する割込条件と、プレイリストの切替時間帯を示す時間条件との少なくとも１を含む。現プレイリストによる再生手段のコンテンツ再生中にその再生状態が再生切替条件を満たすと、現プレイリスト以外の複数のプレイリストのうちのプレイリスト開始条件を満たす１のプレイリストが新たな現プレイリストとなり、その新たな現プレイリストによるコンテンツ再生に移行することができる。複数のプレイリスト毎に再生切替条件を定めることにより、再生手段の再生状態に応じてプレイリストを切り替えてプレイリストによるコンテンツ再生を行うことができる。
【国際調査報告】
2010109604.tif 000015
2010109604.tif 000016
2010109604.tif 000017
2010109604.tif 000018